(57)【特許請求の範囲】
【請求項１】
基材シートと該基材シート裏面の少なくとも一部に接着力抑制層が設けられた封緘シールであって、
前記接着力抑制層を覆う状態で色彩可変シートが設けられ、
前記色彩可変シートの下面に感圧接着剤層が設けられ、
前記感圧接着剤層の下面に剥離可能に剥離シートが設けられ、
前記封緘シールを前記感圧接着剤層により封緘対象物に貼付させた状態から、前記封緘シールを剥離した場合に、前記接着力抑制層が設けられていない部分に位置する前記感圧接着剤層は封緘対象物から剥離するが、前記接着力抑制層が設けられた部分は該接着力抑制層と前記色彩可変シートの層間にて剥離することにより、前記色彩可変シート及び前記感圧接着剤層に応力がかかり、前記色彩可変シートが破断した際に、前記色彩可変シートは、破断した界面の色彩が変化する性質を有する色彩可変シートから構成されていることを特徴とする封緘シール。
【発明の詳細な説明】
【技術分野】
【０００１】
本発明は、一旦封緘した袋や箱が第三者によって無断に開けられてしまった場合にはその痕跡を残すことができる封緘シールに関する。
【背景技術】
【０００２】
従来、封緘シールは基材シートを封緘対象物に接着させるために必要な感圧接着剤層が形成されており、且つ、その基材シートと感圧性接着剤層の間に開封の履歴を残すための細工を施したものが一般的である。（例えば、特許文献１，２  参照）
封緘シールの例としては、基材シートと、基材シートの裏面に剥離層を設け、前記剥離層の上に金属蒸着層を介して感圧性接着剤層を設け、その感圧性接着剤層の上に剥離シートを仮接着させた構造が上げられる。
【０００３】
この封緘シールから剥離シートを剥離し、封緘対象物に貼り付けることができ、封緘対象物から封緘シールを剥がすと、剥離層と金属蒸着層の界面で剥離し、金属蒸着層が封緘対象物に残る構造になっている。
一旦、剥離層と金属蒸着層の界面で剥離した封緘シールは再度貼り付けることができないため、開封履歴として機能する。
また、金属蒸着層が封緘対象物に残留することによっても開封履歴としての機能を発現することができる構造となっている。
【０００４】
また、前記封緘シールの剥離層をパターン状にすることにより、固有の形状の金属蒸着層を封緘対象物に残すことができる特徴がある。
このような封緘シールでは開封履歴を残す目的で、食品、化粧品、パーソナルコンピュータ用ソフト、輸出用工業製品などに使用されている。
上記封緘シールの場合、開封されたとしても、市販の接着剤等で常識的に判断できない程度に修復することができてしまうため、実際に使用する個人消費者には見分けがつき難い問題がある。
【０００５】
また、金属面の有無による確認になるため、再度、その上から基材シートを貼付された場合、開封済かどうかを瞬時にみわけることは困難であるため、層間に特殊な加工を施すなどの必要があるという問題がある。
【先行技術文献】
【特許文献】
【０００６】
【特許文献１】特開２００４−２１２７７８号公報
【特許文献２】特開２００５−１４８３２５号公報
【特許文献３】特開２００６−２３６０５７号公報
【発明の概要】
【発明が解決しようとする課題】
【０００７】
そこで、本発明は、不正に封緘シールが剥離された場合でも、外部から目視するだけで誰でも簡単に封緘シールが剥がされたか否かを判断することができる封緘シールを提供する。
【課題を解決するための手段】
【０００８】
本発明の封緘シールは、基材シートと該基材シート裏面の少なくとも一部に接着力抑制層が設けられた封緘シールであって、前記接着力抑制層を覆う状態で色彩可変シートが設けられ、前記色彩可変シートの下面に感圧接着剤層が設けられ、前記感圧接着剤層の下面に剥離可能に剥離シートが設けられ、前記封緘シールを前記感圧接着剤層により封緘対象物に貼付させた状態から、前記封緘シールを剥離した場合に、前記接着力抑制層が設けられていない部分に位置する前記感圧接着剤層は封緘対象物から剥離するが、前記接着力抑制層が設けられた部分は該接着力抑制層と前記色彩可変シートの層間にて剥離することにより、前記色彩可変シート及び前記感圧接着剤層に応力がかかり、前記色彩可変シートが破断した際に、前記色彩可変シートは、破断した界面の色彩が変化する性質を有する色彩可変シートから構成されていることを特徴とする。
【発明の効果】
【０００９】
したがって、本発明の封緘シールは、その封緘シールを被着物に貼付させた状態から剥離した場合に、色彩可変シートが破断した際に、前記色彩可変シートの破断した界面の色彩が変化するので、不正に封緘シールが剥離された場合でも、外部から目視するだけで誰でも簡単に封緘シールが剥がされたか否かを判断することができるという効果がある。
【図面の簡単な説明】
【００１０】
【図１】本発明の実施形態に係る封緘シールの断面図である。
【図２】本発明の実施形態に係る封緘シールであって、該封緘シールを感圧接着剤層により被着物に貼付させた後に、剥離させた状態を示す断面図である。
【図３】本発明の実施形態に係る封緘シールであって、該封緘シールを感圧接着剤層により被着物に貼付させた後に、剥離させた状態を示す平面図である。
【発明を実施するための形態】
【００１１】
以下、本発明の実施形態に係る封緘シールを図面に基づいて詳細に説明する。
本発明の実施形態に係る封緘シール１は、図１に示すように、基材シート２と該基材シート２の裏面の少なくとも一部に接着力抑制層３が設けられている。
そして、封緘シール１は、接着力抑制層３を覆う状態で色彩可変シート４が設けられ、前記色彩可変シート４の下面に感圧接着剤層５が設けられている。
【００１２】
また、封緘シール１は、感圧接着剤層５の下面に剥離可能に剥離シート６が設けられており、封緘シール１を感圧接着剤層５により被着物７に貼付させた状態から剥離した場合に、接着力抑制層３が設けられていない部分に位置する感圧接着剤層５は被着物７から剥離するが、接着力抑制層３が設けられた部分は該接着力抑制層３と前記色彩可変シート４の層間にて剥離することにより、前記色彩可変シート４及び前記感圧接着剤層５に応力がかかり、前記色彩可変シート４が破断した際に、前記色彩可変シート４は、破断した界面の色彩が変化する性質を有する色彩可変シート４から構成されている。
また、感圧接着剤層５の裏面には、剥離可能に剥離シート６が貼付されている。
【００１３】
封緘シール１を構成する基材シート２としては、紙、合成紙、樹脂シートなどが使用でき、用途に応じて適宜選択することができる。
封緘シール１を剥がす際に基材シート２が延伸せずに剥離することができる方が好ましく、基材シート２としてはＰＥＴ等を好んで用いることができる。
また、色彩可変シート４の暴露を防ぐためにもＰＥＴ等の樹脂シートを使用する方が好ましい。
また、基材シート２の厚さとしては特に制限がなく、数十μｍ〜数百μｍのものを適宜使用でき、特に好ましくは４０μｍ〜２００μｍ程度が好んで使用される。
用途によるが色彩可変シート４との密着性が低い場合には、基材シート２に対して易接着処理を行なう必要があり、例えば、基材シート２と色彩可変シート４の間にアンカー層を設けたり、基材シート２に対してコロナ処理を行なったりすることができる。
【００１４】
また、基材シート２の裏面の少なくとも一部に設けられる接着力抑制層３は、色彩可変シート４の基材シート２への接着を抑制すために設けるものであり、色彩可変シート４を形成する材料に対して接着強度の小さい材料を設けることで形成でき、材料としては樹脂材料を使用し、更に具体的には接着力抑制層３を形成する材料としてアクリルを主成分としたＵＶ硬化型の樹脂等を使用することができ、特に接着強度を小さくしたい場合には樹脂材料にシリコーン等で構成されたワックスを添加したり、シリコーン樹脂で構成されたインキ、フッ素系樹脂等を使用することができる。
接着力抑制層３を構成する方法としては、オフセット印刷、フレキソ印刷、グラビア印刷、スクリーン印刷等、適宜、必要な機能によって選択することができる。
【００１５】
また、感圧接着剤層５の上面に設けられた色彩可変シート４は、参考文献３に記載した特開２００６−２３６０５７号公報に記載の置換ポリアセチレンを使用するとができる。
色彩可変シート４は、破断しやすい方が好ましく、色彩可変シート４の厚さとしては１μｍ〜１０μｍが好ましい。
また、色彩可変シート４を構成する方法としては、スピンコート法が好んで使用されるが、特に限定されるわけでない。
【００１６】
また、基材シート２の裏面に設ける感圧性接着剤層５は、封緘シール１を貼り付ける封緘対象物７に対して接着することができればよく、封緘対象物７に合わせて適宜選択することができるが、好ましくは封緘対象物７に対する接着強度が高く、且つ、応力がかかった際に破断しやすい感圧接着剤を選定することにより、封緘対象物７に貼付された封緘シール１を剥離する際に接着力抑制層３の断面で破断しやすくなる。
【００１７】
また、感圧接着剤層５を覆うように設けられた剥離シート６は、感圧接着剤層５から容易に剥離可能であり、シリコーンやフッ素系の樹脂が塗工された基材シートにて構成されている。
【００１８】
次に、上記材料にて構成された封緘シール１の使用方法について記載する。
封緘シール１から剥離シート６を剥離して感圧接着剤層５を露出させ、封緘対象物７に貼付し、封緘対象物７を開封するものが、封緘シール１を封緘対象物７から剥離すると接着力抑制層３が設けてある部分の感圧接着剤層５と色彩可変シート４のみ破断し、封緘対象物７に残ることになり、色彩可変シート４の破断面に張力がかかり、色彩が変化することにより、色彩可変シート４の色彩変化部分４ａを確認することで開封されたことが判別できるという効果がある。
【００１９】
色彩可変シート４の色彩変化部分４ａは、図２及び図３に示すように、封緘対象物７に残った色彩可変シート４の側縁部であり、封緘対象物７を目視した際に、色彩可変シート４の側縁部だけが他の部分と色彩が異なる色彩変化部分４ａとなっていることで、不正に封緘シール１が剥離された場合でも、簡単に誰でも外部から目視するだけで封緘シールが剥がされたか否かを判断することができるようになっている。
【００２０】
また、破断した色彩可変シート４の下面には、感圧接着剤層５が設けられており、封緘対象物７から剥離した際に破断した感圧接着剤層５の断面が変形し、その変形に追随し色彩可変シート４も変形するため、色彩の変化が固定されるため、再度、剥離した基材シート２側を貼付したとして破断面が元の状態に戻ることはないため、改ざん防止としての効果が発現される。
【００２１】
本発明の封緘シール１は、上記したように化粧品などのパッケージに貼って使用するのに好適であるが、海賊版などが流通しやすいパソコンソフトなどに貼って改ざんを防止する用途にも使用可能であり、その他、開封の痕跡を残す必要があり且つ容易に開封確認が必要な任意の用途に使用可能である。
【符号の説明】
【００２２】
１  封緘シール
２  基材シート
３  接着力抑制層
４  色彩可変シート
４ａ  色彩変化部分
５  感圧接着剤層
６  剥離シート
７  封緘対象物
【図１】
0005447853.tif 000002
【図２】
0005447853.tif 000003
【図３】
0005447853.tif 000004